(57)【要約】      （修正有）【課題】表示操作領域を有効に活用できる電子機器、売上データ処理システム、およびプログラムを提供する。【解決手段】販売データ処理システムは電子機器１００と売上データ処理装置２００とがお互いに近距離無線通信によって接続可能なように構成される。前記電子機器の制御部は標準売上画面の小計欄を非表示にし、非表示となった空欄部分に明細欄を上下方向に拡大する。そして非表示とした小計欄の内容を前記売上データ処理装置の表示部２３０に表示する。【選択図】図１０
2019220030.tif 000002
【特許請求の範囲】
【請求項１】
表示機能と操作機能とが一体化している表示操作部を有する電子機器であって、
所定の売上データ処理装置と通信接続する場合、前記表示操作部の機能の少なくとも一部を前記売上データ処理装置に配設されている表示部及び操作部の何れか一方又は双方に代用させる制御部を備える、
ことを特徴とする電子機器。
【請求項２】
請求項１に記載の電子機器であって、
前記制御部は、前記表示機能の少なくとも一部を前記表示部に代用させたとき、代用させた機能に係る表示要素の前記表示操作部への表示を省略する
ことを特徴とする電子機器。
【請求項３】
請求項２に記載の電子機器であって、
前記制御部は、前記省略した表示要素の領域まで、省略しない表示要素を伸張又は拡大して表示させる
ことを特徴とする電子機器。
【請求項４】
請求項２に記載の電子機器であって、
前記省略しない表示要素は、複数の欄から構成され、
前記制御部は、前記複数の欄の数を増加させて、表示させる
ことを特徴とする電子機器。
【請求項５】
請求項２に記載の電子機器であって、
前記制御部は、前記代用させた機能に係る表示要素を含む画面と、該表示要素を含まない画面とを、切り替えて表示させる
ことを特徴とする電子機器。
【請求項６】
請求項１に記載の電子機器であって、
自装置の両側の一方に表示部が配設された売上データ処理装置に載置されており、
前記制御部は、前記表示操作部に表示される小計情報を前記売上データ処理装置の前記表示部に代用表示させたとき、前記表示操作部のうち前記表示部に近い側に、前記小計情報を構成する明細情報を表示させる
ことを特徴とする電子機器。
【請求項７】
請求項１に記載の電子機器であって、
前記制御部は、前記売上データ処理装置と通信接続しない場合、前記売上データ処理装置と通信接続した場合に代用させる前記表示部の表示要素を前記表示操作部に表示させることを特徴とする電子機器。
【請求項８】
請求項１に記載の電子機器であって、
前記制御部は、前記売上データ処理装置と通信接続しない場合、前記売上データ処理装置と通信接続した場合に代用させる前記操作部に相当する表示要素を前記表示操作部に表示させることを特徴とする電子機器。
【請求項９】
表示部と操作部とが配設されている売上データ処理装置と、表示機能と操作機能とが一体化された表示操作部を有する電子機器とが通信可能に接続される売上データ処理システムであって、
前記電子機器は、前記売上データ処理装置と通信接続する場合、前記表示操作部の機能の少なくとも一部を前記表示部及び前記操作部の何れか一方又は双方に代用させる制御部を備える
ことを特徴とする売上データ処理システム。
【請求項１０】
請求項９に記載の売上データ処理システムであって、
前記電子機器は、前記売上データ処理装置の上に載置されるものであり、
前記売上データ処理装置は、載置された前記電子機器の両側の一方に前記表示部が配設されており、
前記制御部は、前記表示操作部に表示される小計情報を前記売上データ処理装置の前記表示部に代用表示させたとき、前記表示操作部のうち一方の側に、前記小計情報を構成する明細情報を表示させる
ことを特徴とする売上データ処理システム。
【請求項１１】
請求項１０に記載の売上データ処理システムであって、
前記制御部は、前記表示操作部に表示される小計情報を前記売上データ処理装置の前記表示部に代用表示させないとき、前記表示操作部のうち他方の側に前記小計情報及び前記明細情報を表示させる
ことを特徴とする売上データ処理システム。
【請求項１２】
表示機能と操作機能とが一体化している表示操作部と、表示部及び操作部が配設されている売上データ処理装置と通信接続する通信部とを制御する制御部によって実行されるプログラムであって、
前記通信部により前記売上データ処理装置と通信接続する場合、前記表示操作部の機能の少なくとも一部を前記表示部及び前記操作部の何れか一方又は双方に代用させるステップを実行させる
ことを特徴とするプログラム。
【発明の詳細な説明】
【技術分野】
【０００１】
本発明は、電子機器、売上データ処理システム、及びプログラムに関する。
【背景技術】
【０００２】
商品の販売や飲食物の提供を行う店舗では、キーボード及び表示器を配設したキャッシュレジスタが多用される。そして、プリンタ及び表示器とタブレット端末とをインターフェースボードを介して接続した情報処理装置をキャッシュレジスタとして機能させたものが知られている（特許文献１）。
【先行技術文献】
【特許文献】
【０００３】
【特許文献１】特開２０１５−１８５２１号公報
【発明の概要】
【発明が解決しようとする課題】
【０００４】
ところで、キャッシュレジスタと通信可能に接続されたタブレット端末を用いて、飲食物の受注作業を顧客テーブルの近傍で行うことができるようになる。また、このタブレット端末をキャッシュレジスタの上に載置して、キャッシュレジスタの機能を拡張したり、汎用性を持たせたりすることもできる。このように、タブレット端末をキャッシュレジスタの上に載置する場合、タブレット端末に、キャッシュレジスタとしての機能をそのまま同様に持たせると、タブレット端末の表示操作部と、キャッシュレジスタの表示部及び操作部とで、機能が重複してしまう。タブレット端末の表示操作部はサイズの制約があるため、限られた表示操作領域を有効に利用できないという問題がある。
【０００５】
本発明は、このような問題を解決するためになされたものであり、効率良く情報登録することができる電子機器、売上データ処理システム、及びプログラムを提供することを目的とする。
【課題を解決するための手段】
【０００６】
前記課題を解決するために、本発明は、表示機能と操作機能とが一体化している表示操作部（１０）を有する電子機器（例えば、タブレット１００）であって、売上データ処理装置（例えば、ＥＣＲ（Electronic Cash Register）２００）と通信接続する場合、前記表示操作部（１０）の機能の少なくとも一部を前記売上データ処理装置（２００）に配設されている表示部（２３０）及び操作部（２４０）の何れか一方又は双方に代用させる制御部（５０）を備えることを特徴とする。なお、（  ）内の符号や文字は例示である。
【発明の効果】
【０００７】
本発明によれば、効率良く情報登録することができる。
【図面の簡単な説明】
【０００８】
【図１】本発明の実施形態である売上データ処理システムの全体構成図である。
【図２】本発明の実施形態である売上データ処理システムの外観を示す斜視図である。
【図３】本発明の実施形態である売上データ処理システムの通信動作を説明するフローチャートである。
【図４】電子機器の通信状態を示す通信設定画面の一例を示す図である。
【図５】本発明の実施形態である売上データ処理システムの表示動作を説明するフローチャートである。
【図６】標準の売上登録画面の一例を示す図である。
【図７】全ての明細が表示された画面の一例を示す図である。
【図８】標準の売上登録画面から小計表示を非表示とした売上登録画面の一例と、売上データ処理装置の表示部に表示された画面の一例とを示す図である。
【図９】標準の売上登録画面から小計表示を非表示とし、且つ左右反転した売上登録画面の一例と、売上データ処理装置の表示部に表示された画面の一例とを示す図である。
【図１０】左右反転した売上登録画面で代用表示した売上データ処理システムの外観を示す斜視図である。
【図１１】売上登録画面の「お支払」ボタンがタップされたときの動作を説明するフローチャートである。
【図１２】標準の「お支払」画面の一例である。
【図１３】標準の「お支払」画面からテンキー欄を非表示とした「お支払」画面の一例である。
【発明を実施するための形態】
【０００９】
以下、図面を参照して、本発明の実施の形態（以下、「本実施形態」と称する）につき詳細に説明する。なお、各図は、本実施形態を十分に理解できる程度に、概略的に示してあるに過ぎない。また、各図において、共通する構成要素や同様な構成要素については、同一の符号を付し、それらの重複する説明を省略する。
【００１０】
（実施形態）
図１は、本発明の実施形態である売上データ処理システムの構成図であり、図２は、本発明の実施形態である売上データ処理システムの外観を示す斜視図である。
売上データ処理システム１は、電子機器１００と売上データ処理装置２００とが、互いに近距離無線通信によって接続可能なように構成されている。なお、電子機器１００は、売上データ処理装置２００の上に載置されて使用することができる。
【００１１】
電子機器１００は、表示操作部１０と、通信部２０と、加速度センサ３０と、ＲＯＭ（Read Only Memory）４０と、ＲＡＭ（Random Access Memory）４５と、制御部５０とを備えて構成されるタブレット端末である。表示操作部１０は、表示機能と操作機能とが一体化しているタッチパネルである。加速度センサ３０は、自装置が受ける加速度（重力加速度を含む）を検出するセンサであり、例えば、使用者が電子機器１００を振ったときに、自装置が振られたことを検知する。
【００１２】
売上データ処理装置２００は、通信部２２０と、表示部２３０と、客用表示部２３５と、操作部２４０と、制御部２５０と、印刷部２６０と、ドロア２７０（図２）と、固定台２８０（図２）と、ＲＯＭ２９０と、ＲＡＭ２９５とを備えて構成される。表示部２３０は、ＬＣＤ（Lquid Crystal Display）やＬＥＤ（Light Emitting Diode）であり、主として商品や役務（以下、商品等という）の単価や合計を示す数字を表示する。客用表示部２３５は、表示部２３０の反対側に設けられ、顧客が金額等を確認するディスプレイである。操作部２４０は、テンキー等を複数のスイッチで構成したものである。
【００１３】
通信部２０，２２０は、Bluetooth（登録商標）やWi-Fi（登録商標）等の近距離無線通信を行うハードウェアである。ＲＯＭ４０，２９０は、ＯＳ（Operating System）やプログラムが格納されている不揮発性記憶部である。ＲＡＭ４５，２９５は、ワーキングメモリとして使用される不揮発性記憶部である。印刷部２６０は、レシートを印刷する熱転写プリンタである。ドロア２７０は、硬貨や紙幣等を金種別に格納する機器である。固定台２８０は、電子機器１００を売上データ処理装置２００の上部に立て掛けるための台である。
【００１４】
制御部５０は、ＣＰＵ（Central Processing Unit）であり、ＯＳ及びプログラムが実行されることにより、売上登録部５１と、表示操作制御部５２と、機能代用制御部５３との機能を実現する。売上登録部５１は、商品等の受注から代金受取までを管理する機能部である。表示操作制御部５２は、売上登録画面を表示操作部１０に表示させる機能部であり、売上登録部５１と連関して処理を実行する。機能代用制御部５３は、表示操作部１０の機能の一部を売上データ処理装置２００の表示部２３０又は操作部２４０に代用させるための制御を実行する。言い換えれば、機能代用制御部５３は、売上登録画面の一部（例えば、単価や合計を示す数字）を表示部２３０に表示させ、売上登録画面に対応する操作機能の一部を操作部２４０に行わせる。このために、機能代用制御部５３は、通信部２０に対して、代用指示及び代用内容を売上データ処理装置２００に送信させる。
【００１５】
制御部２５０は、ＣＰＵであり、ＯＳ及びプログラムが実行されることにより、売上登録部５１と、表示操作制御部５２との機能を実現する。売上登録部２５１は、商品等の受注から代金受取までを管理する機能部である。表示操作制御部２５２は、商品等の単価や合計を表示部２３０に表示させたり、操作部２４０で行われた入力を受け付けたりする機能部である。特に、本実施形態においては、表示操作制御部２５２は、通信部２２０が受信した代用指示に基づいて、代用内容を表示部２３０に表示させたり、操作部２４０の入力内容を電子機器１００に送信させたりする。
【００１６】
図３は、本発明の実施形態である売上データ処理システムの通信動作を説明するフローチャートであり、主として、電子機器１００の制御部５０がＯＳを実行しているときの動作を説明している。
売上データ処理装置２００が待ち受け状態であるときに（Ｓ１）、電子機器１００の制御部５０は、売上データ処理装置２００に対して、無線接続指示を行う（Ｓ２）。売上データ処理装置２００は、電子機器１００に対して、無線接続指示への返信処理を行う（Ｓ３）。電子機器１００は、所定時間内に通信が確立したか、つまり、無線接続指示への返信が所定時間内にあったか否か判定する（Ｓ４）。所定時間内に通信が確立したら（Ｓ４で「通信確立」）、電子機器１００は、通信設定画面３１０（図４）において「接続済み」の表示がされるように設定を行う（Ｓ５）。一方、所定時間内に通信が確立しなければ、つまり、無線接続指示への返信が所定時間内になければ（Ｓ４で「通信非確立」）、電子機器１００は、通信設定画面３１０において、「未接続」の表示が行われるように設定を行う（Ｓ６）。Ｓ５又はＳ６の処理後、電子機器１００は、メニュー画面を表示し（Ｓ７）、アプリアイコンがタップされるまで待機する（Ｓ８）。
【００１７】
図４は、電子機器の通信状態を示す通信設定画面の一例を示す図である。
通信設定画面３１０は、電子機器１００のメニュー画面で「通信設定」ボタン（図示せず）をタップしたときに表示される画面である。通信設定画面３１０は、「Bluetooth（登録商標）」設定表示ボタン３１１と、「Bluetooth（登録商標）」オン／オフ設定スイッチ３１３と、「Bluetooth（登録商標）」状態表示３１４とを備えている。
【００１８】
「Bluetooth（登録商標）」設定表示ボタン３１１は、「機内モード」、「Wi-Fi（登録商標）」、「Bluetooth（登録商標）」「モバイルネットワーク」、「テザリング」等の何れかの通信モードの中からBluetooth（登録商標）の通信設定を行うときにタップするボタンである。「Bluetooth（登録商標）」設定表示ボタン３１１をタップすると、右欄の設定画面が表示される。「Bluetooth（登録商標）」オン／オフ設定スイッチ３１３は、Bluetooth（登録商標）の使用／不使用を選択するスイッチである。「Bluetooth（登録商標）」状態表示３１４は、Bluetooth（登録商標）で「未接続」か「接続済み」であるかを表示する領域である。なお、図４の表示例では、「ペアリングされたデバイス」が売上データ処理装置２００であることを示す「ＥＣＲ−００１」に対して、「未接続」であることを示している。なお、図４の表示例には、他の使用可能なデバイスの名称が複数表示されている。
【００１９】
図５は、本発明の実施形態である売上データ処理システムの表示動作を説明するフローチャートである。このルーチンは、電子機器１００のメニュー画面で、レジアプリのアイコンがタップされると起動する。
電子機器１００は、売上データ処理装置２００（ＥＣＲ）と無線通信可能に接続されているか否か判定する（Ｓ２０）。売上データ処理装置２００と接続されていないとき（Ｓ２０で「非接続」）、電子機器１００は、非接続状態である旨を表示操作部１０に所定時間表示し（Ｓ２１）、標準の売上登録画面を表示操作部１０に表示する（Ｓ２２）。
【００２０】
図６は、標準の売上登録画面の一例を示す図である。
標準売上登録画面４００は、小計欄４１０と、テンキー欄４２０と、「お客様」欄４３０と、商品選択欄４４０と、明細欄４５０ａと、「ＭＥＮＵ」選択欄４６０と、画面選択欄４７０とを備える。小計欄４１０と、テンキー欄４２０と、明細欄４５０ａとは、左側に配設されており、「お客様」欄４３０と、商品選択欄４４０と、「ＭＥＮＵ」選択欄４６０とは、右側に配設されている。また、小計欄４１０と明細欄４５０ａとは、上下に並置されている。
【００２１】
小計欄４１０は、「計」表示欄４１１と「税」表示欄４１２とが上下に並設されて構成されている。ここでは、具体的な例として、計「\4780」、税「\354」が表示されている。テンキー欄４２０は、数字表示欄４２１と、テンキー４２２と、機能ボタン４２３を備える。「お客様」欄４３０は、「お客様」特定欄４３１と「客層」指定欄４３２とが左右に併設されて構成されている。商品選択欄４４０は、複数種類の商品選択ボタンから構成されている。「ＭＥＮＵ」選択欄４６０は、複数のＭＥＮＵボタンから構成されている。例えば、「ＭＥＮＵ０２」がタップされると、図６のような居酒屋メニューが商品選択欄４４０に表示される。画面選択欄４７０は、「中止」ボタン４７１、「商品」ボタン４７２、「取引」ボタン４７３、「機能」ボタン４７４、「伝票」ボタン４７５、「小計」ボタン４７６、「仮締め」ボタン４７７、「お支払」ボタン４７８を備える。
【００２２】
明細欄４５０ａは、「商品名」羅列欄４５１と、「個数」表示欄４５２と、「金額」表示欄４５３とが、空欄領域４５４ａと共に、左右方向に併置されて構成されている。明細欄４５０ａは、４行の明細行数が確保されている。例えば、商品名「グラスワイン」、個数「2」、金額「\1,600」と、商品名「クラフトビール」、個数「1」、金額「\980」と、商品名「カクテル」、個数「1」、金額「\700」と、商品名「日本酒」、個数「1」、金額「\1,200」との４行が表示されている。なお、空欄領域４５４ａの下部は、商品の数が少ないときには空欄となる。
【００２３】
図７は、全ての明細が表示された画面の一例を示す図である。
全ての明細欄４８０は、明細欄４５０ａ（図６）の右側に付随するスクロールバーを動かして表示されるものであるが、他の画面で表示しても構わない。図６の明細欄４５０ａでは、４行の表示に留まっていたが、全ての明細欄４８０では、５行目に商品名「緑茶」、個数「1」、金額「\300」が表示されている。つまり、小計欄４１０（図６）は、これら５種類、計６個の商品の合計金額「\4780」及び税「\354」が表示される。
【００２４】
図５のフローチャートに戻り、売上データ処理装置２００と接続されているときには（Ｓ２０で「接続」）、電子機器１００は、売上データ処理装置２００に対して、代用指示及び代用内容を送信する（Ｓ２３）。つまり、電子機器１００は、表示操作部１０の機能の一部を表示部２３０及び操作部２４０の何れか一方又は双方に代用させる旨の指示を、売上データ処理装置２００に対して行う。また、電子機器１００は、表示部２３０に表示させる表示内容を売上データ処理装置２００に送信したり、操作部２４０が入力した入力内容を売上データ処理装置２００から受信する。
【００２５】
売上データ処理装置２００は、代用指示及び代用内容を受信し（Ｓ２４）、受信した代用指示に基づいて、表示部２３０及び操作部２４０を制御する（Ｓ２５）。Ｓ２３の処理後、電子機器１００は、代用箇所ありのレイアウトを選択する（Ｓ２６）。つまり、電子機器１００は、標準売上登録画面４００（図６）から小計表示（小計欄４１０）を非表示としたレイアウトの画面を選択する。
【００２６】
Ｓ２６の処理後、電子機器１００は、表示部２３０が右側に配設されている売上データ処理装置２００であるか、左側に配設されている売上データ処理装置２００であるかを示す設定を確認する（Ｓ２８）。表示部２３０が左側に配設されている売上データ処理装置２００のときは（Ｓ２８で「売上データ処理装置  表示部左側配置」）、電子機器１００は、売上登録画面の代用箇所ありのレイアウトで表示する（Ｓ２９）。つまり、電子機器１００は、小計表示（小計欄４１０）を非表示にした売上登録画面４０１（図８）を表示する。
【００２７】
売上登録画面４０１は、小計欄４１０（図６）を非表示にし、明細欄４５０ａ（図６）の代わりに、非表示領域に空欄領域４５４ａを上下方向に伸張し、伸張した空欄領域４５４ｂを備えた明細欄４５０ｂを設けたものである。このとき、空欄領域４５４ｂには、空欄領域４５４ａに表示されていなかった商品名「緑茶」、個数「1」、金額「\300」が表示されている。また、売上データ処理装置２００の表示部２３０には、小計欄４１０（図６）で非表示にした計「\4780」、税「\354」が代用表示される。
【００２８】
一方、表示部２３０が右側に配設されている売上データ処理装置２００のときは（Ｓ２８で「売上データ処理装置  表示部右側配置」）、電子機器１００は、売上登録画面の代用箇所ありの反転レイアウトで表示する（Ｓ３０）。つまり、電子機器１００は、売上登録画面の明細欄４５０ａ（図６）及びテンキー欄４２０と、商品選択欄４４０、及び「ＭＥＮＵ」選択欄４６０とを入れ替えて、明細欄４５０ａ（図６）を左右反転した明細欄４５０ｃを設けた売上登録画面４０２（図９）を表示操作部１０に表示する（Ｓ３０）。このとき、売上データ処理装置２００の表示部２３０には、小計欄４１０（図６）で非表示にした計「\4780」、税「\354」が代用表示される。
【００２９】
図１０は、左右反転した売上登録画面を表示した売上データ処理システムの外観を示す斜視図である。
電子機器１００には、売上登録画面４０２（図９）が表示されている。また、売上データ処理装置２００の表示部２３０には、売上登録画面４０２で非表示にされた小計欄４１０の計「\4780」や税「\354」が代用表示されている。
【００３０】
標準売上登録画面４００（図６）は、小計欄４１０と明細欄４５０ａとは、上下に並置されており、明細欄４５０ａに表示された商品の合計（小計）の確認が容易である。同様に、売上データ処理装置２００の上に電子機器１００を載置させる場合においても、表示部２３０に近い側に明細欄４５０ｃを配置させることが好ましい。このため、表示部２３０が右側に配設されている売上データ処理装置２００のときには、表示部２３０は、明細欄４５０ｂ（図８）を左右反転した明細欄４５０ｃを設けた売上登録画面４０２（図９）を表示することが好ましい。
【００３１】
本実施形態の売上データ処理システム１によれば、電子機器１００と売上データ処理装置２００とが通信接続する場合、電子機器１００の制御部５０は、表示操作部１０の表示機能の一部（例えば、小計欄４１０の表示）を売上データ処理装置２００の表示部２３０に代用させる。このとき、制御部５０は、標準売上登録画面４００（図６）の代わりに、小計欄４１０を非表示にし、明細欄４５０ａの小計欄４１０以外の他の表示要素として、例えば、空欄領域４５４ａを上下方向に伸張し、欄を追加した明細欄４５０ｂを備えた売上登録画面４０１（図８）を表示操作部１０に表示させる。
【００３２】
（第２実施形態）
前記第１実施形態では、表示操作部１０が表示すべき小計欄４１０の表示内容を、売上データ処理装置２００の表示部２３０に表示させたが、表示操作部１０の操作機能の一部（例えば、テンキー欄４２０）を売上データ処理装置２００の操作部２４０に行わせることもできる。
【００３３】
第２実施形態の売上データ処理システムの構成は、前記第１実施形態の売上データ処理システム１の構成と同一である。
図１１は、売上登録画面が表示された後の動作を説明するフローチャートである。つまり、図１１は、図５のフローチャートにおいて、ＥＣＲと非接続である場合に表示される標準売上登録画面４００（図６）が表示されたり（Ｓ２２）、ＥＣＲと接続される場合に表示された売上登録画面４０１（図７）が表示されたり（Ｓ２９）、したときの動作を説明している。
【００３４】
標準売上登録画面４００（図６）が表示されたときには（Ｓ２２）、電子機器１００は、標準売上登録画面４００の「お支払」ボタン４７８がタップされたか否か判定する（Ｓ３０）。「お支払」ボタン４７８がタップされないときには（Ｓ３０で非タップ）、タップされるまで待機する。「お支払」ボタン４７８がタップされたときには、電子機器１００は、標準「お支払」画面５００を表示する（Ｓ３１）。
【００３５】
標準「お支払」画面５００は、明細欄５１０と、合計欄５３０と、預かり金額欄５３５と、テンキー欄５２０と、「現金」ボタン５４０と、「戻る」ボタン５４５とを備える。ここで、明細欄５１０は、画面の左側に配置されており、合計欄５３０、預かり金額欄５３５、テンキー欄５２０、「現金」ボタン５４０、「戻る」ボタン５４５は、画面の右側に配置されている。なお、図１２の表示例では、商品名「日本酒」及び単価「\1,200」が明細欄５１０に記載されており、合計金額「\1,200」及び内税「\89」が合計欄５３０に記載されており、現金「\2,000」を顧客から預かったことが預かり金額欄５３５に記載されている。
【００３６】
図１１の説明に戻り、代用箇所ありのレイアウトとして売上登録画面４０１（図８）が表示されたときには（Ｓ２９）、電子機器１００は、売上登録画面４０１の「お支払」ボタン４７８がタップされるまで待機する（Ｓ３５）。「お支払」ボタン４７８がタップされたときには、電子機器１００は、標準「お支払」画面５００（図１２）からテンキー欄５２０を非表示にした「お支払」画面５０１（図１３）を表示する（Ｓ３６）。
【００３７】
「お支払」画面５０１の表示例は、明細欄５１０と、「本日の売上高」欄５５０と、合計金額「\1,200」及び内税「\89」からなる合計欄５３０と、預かり金額欄５３５と、外税額「89円」及び税対象額「1,111円」からなる外税表示欄５６０と、「現金」ボタン５４０と、「戻る」ボタン５４５とを備える。つまり、「お支払」画面５０１は、標準「お支払」画面５００に比較して、テンキー欄５２０を非表示にし、その非表示にした領域に、「本日の売上高」欄５５０と外税表示欄５６０とを設けたものである。
【００３８】
本実施形態の売上データ処理システムによれば、電子機器１００と売上データ処理装置２００とが通信接続する場合、電子機器１００の制御部５０は、表示操作部１０の機能の一部（例えば、テンキー欄４２０の表示機能及び操作機能）を売上データ処理装置２００の操作部２４０に代用させる。このとき、例えば、制御部５０は、標準「お支払」画面５００（図１２）からテンキー欄５２０を非表示にした「お支払」画面５０１（図１３）を表示操作部１０に表示させる。また、制御部５０は、テンキー欄５２０を非表示にした非表示領域に、例えば、「本日の売上高」欄５５０と外税表示欄５６０とを表示させても構わない。
【００３９】
（第３実施形態）
前記第１実施形態の電子機器１００は、売上データ処理装置２００と通信可能なとき、標準売上登録画面４００から小計欄４１０を非表示にした売上登録画面４０１を表示操作部１０に表示させた。電子機器１００は、自装置が振られたことを加速度センサ３０（図１）が検知し、検知後、制御部５０が標準売上登録画面４００と売上登録画面４０１とを切り替えても構わない。
【００４０】
第２実施形態の売上データ処理システムの構成は、前記第１実施形態の売上データ処理システム１の構成と同一である。制御部５０は、加速度センサ３０の出力信号の値が振れて、重力のみ検出するようになると、標準売上登録画面４００と売上登録画面４０１との切替が完了する。
【００４１】
〔付記〕
＜請求項１＞
表示機能と操作機能とが一体化している表示操作部を有する電子機器であって、
所定の売上データ処理装置と通信接続する場合、前記表示操作部の機能の少なくとも一部を前記売上データ処理装置に配設されている表示部及び操作部の何れか一方又は双方に代用させる制御部を備える、
ことを特徴とする電子機器。
＜請求項２＞
請求項１に記載の電子機器であって、
前記制御部は、前記表示機能の少なくとも一部を前記表示部に代用させたとき、代用させた機能に係る表示要素の前記表示操作部への表示を省略する
ことを特徴とする電子機器。
＜請求項３＞
請求項２に記載の電子機器であって、
前記制御部は、前記省略した表示要素の領域まで、省略しない表示要素を伸張又は拡大して表示させる
ことを特徴とする電子機器。
＜請求項４＞
請求項２に記載の電子機器であって、
前記省略しない表示要素は、複数の欄から構成され、
前記制御部は、前記複数の欄の数を増加させて、表示させる
ことを特徴とする電子機器。
＜請求項５＞
請求項２に記載の電子機器であって、
前記制御部は、前記代用させた機能に係る表示要素を含む画面と、該表示要素を含まない画面とを、切り替えて表示させる
ことを特徴とする電子機器。
＜請求項６＞
請求項１に記載の電子機器であって、
自装置の両側の一方に表示部が配設された売上データ処理装置に載置されており、
前記制御部は、前記表示操作部に表示される小計情報を前記売上データ処理装置の前記表示部に代用表示させたとき、前記表示操作部のうち前記表示部に近い側に、前記小計情報を構成する明細情報を表示させる
ことを特徴とする電子機器。
＜請求項７＞
請求項１に記載の電子機器であって、
前記制御部は、前記売上データ処理装置と通信接続しない場合、前記売上データ処理装置と通信接続した場合に代用させる前記表示部の表示要素を前記表示操作部に表示させることを特徴とする電子機器。
＜請求項８＞
請求項１に記載の電子機器であって、
前記制御部は、前記売上データ処理装置と通信接続しない場合、前記売上データ処理装置と通信接続した場合に代用させる前記操作部に相当する表示要素を前記表示操作部に表示させることを特徴とする電子機器。
＜請求項９＞
表示部と操作部とが配設されている売上データ処理装置と、表示機能と操作機能とが一体化された表示操作部を有する電子機器とが通信可能に接続される売上データ処理システムであって、
前記電子機器は、前記売上データ処理装置と通信接続する場合、前記表示操作部の機能の少なくとも一部を前記表示部及び前記操作部の何れか一方又は双方に代用させる制御部を備える
ことを特徴とする売上データ処理システム。
＜請求項１０＞
請求項９に記載の売上データ処理システムであって、
前記電子機器は、前記売上データ処理装置の上に載置されるものであり、
前記売上データ処理装置は、載置された前記電子機器の両側の一方に前記表示部が配設されており、
前記制御部は、前記表示操作部に表示される小計情報を前記売上データ処理装置の前記表示部に代用表示させたとき、前記表示操作部のうち一方の側に、前記小計情報を構成する明細情報を表示させる
ことを特徴とする売上データ処理システム。
＜請求項１１＞
請求項１０に記載の売上データ処理システムであって、
前記制御部は、前記表示操作部に表示される小計情報を前記売上データ処理装置の前記表示部に代用表示させないとき、前記表示操作部のうち他方の側に前記小計情報及び前記明細情報を表示させる
ことを特徴とする売上データ処理システム。
＜請求項１２＞
表示機能と操作機能とが一体化している表示操作部と、表示部及び操作部が配設されている売上データ処理装置と通信接続する通信部とを制御する制御部によって実行されるプログラムであって、
前記通信部により前記売上データ処理装置と通信接続する場合、前記表示操作部の機能の少なくとも一部を前記表示部及び前記操作部の何れか一方又は双方に代用させるステップを実行させる
ことを特徴とするプログラム。
【符号の説明】
【００４２】
１  売上データ処理システム
１０  表示操作部
２０  通信部
５０  制御部
５１，２５１  売上登録部
５２，２５２  表示操作制御部
５３  機能代用制御部
１００  電子機器
２００  売上データ処理装置
２２０  通信部
２３０  表示部
２４０  操作部
２５０  制御部
３１０  通信設定画面
４００  標準売上登録画面
４０１  売上登録画面（小計欄非表示画面）
４０２  売上登録画面（左右反転画面）
４１０  小計欄
４２０  テンキー欄
４２１  数字表示欄
４２２  テンキー
４３０  「お客様」欄
４３２  「客層」指定欄
４４０  商品選択欄
４５０ａ，４５０ｂ，４５０ｃ  明細欄（商品項目欄）
４５１  「商品名」羅列欄
４５２  「個数」表示欄
４５４ａ，４５４ｂ，４５４ｃ  空欄領域
４７８  「お支払」ボタン
５００  標準「お支払」画面
５０１  「お支払」画面
５１０  明細欄（商品項目欄）
５２０  テンキー欄
５４０  「現金」ボタン
５５０  「本日の売上高」欄
５６０    外税表示欄
【図１】
2019220030.tif 000003
【図２】
2019220030.tif 000004
【図３】
2019220030.tif 000005
【図４】
2019220030.tif 000006
【図５】
2019220030.tif 000007
【図６】
2019220030.tif 000008
【図７】
2019220030.tif 000009
【図８】
2019220030.tif 000010
【図９】
2019220030.tif 000011
【図１０】
2019220030.tif 000012
【図１１】
2019220030.tif 000013
【図１２】
2019220030.tif 000014
【図１３】
2019220030.tif 000015